(57)【特許請求の範囲】
【請求項１】
筒状の収容空間が複数室備えられたケーシングと、各収容空間へ嵌め入れて収容される複数のサブコネクタとからなるコネクタであって、
前記各サブコネクタのハウジングの外面で幅方向中央部にはロック突部が突出形成される一方、前記ケーシングにおいて前記収容空間を仕切る壁面の外面には前記サブコネクタの嵌め入れ方向とほぼ直交する方向に二条のスリットを切り込んでこれらの間に両持ち梁状の弾性受け部が架設され、前記ケーシングの内外方向に撓み可能とされ、前記サブコネクタが前記収容空間へ嵌め入れられて前記ロック突部が前記弾性受け部を通過する途上では、前記弾性受け部が前記収容空間から遠ざかる方向へ撓み変形し、前記サブコネクタが前記収容空間へ正規深さまで嵌め入れられると、前記ロック突部が前記弾性受け部を通過して同弾性受け部が弾性復帰することにより前記ロック突部と前記弾性受け部とが弾性的に係止して前記サブコネクタの抜け止めがなされるようになっており、
かつ前記ケーシングの外面であって、前記弾性受け部を前記サブコネクタの嵌合方向から挟む位置には保護突部が立設されていることを特徴とするコネクタ。
【請求項２】
前記ケーシングの外面には前記各収容空間へ連通するリテーナ装着孔が開口して形成されるとともに、前記ケーシングには後嵌め検知リテーナが装着され、かつこの後嵌め検知リテーナは前記ケーシングに対し、その一部が前記リテーナ装着孔を通して前記各収容空間内へ突入されて前記サブコネクタの嵌め入れ時には同サブコネクタとの干渉によって前記収容空間への嵌め入れを規制する押し込み位置と、収容空間から退避することで前記サブコネクタの収容空間内への嵌め入れを許容する退避位置との間で移動可能な状態で組み付けられ、かつ前記後嵌め検知リテーナは前記ケーシングが相手側コネクタのフード部内に嵌め入れられたときに、フード部の内面に当接して前記押し込み位置に保持されることを特徴とする請求項１記載のコネクタ。
【発明の詳細な説明】
【技術分野】
【０００１】
本発明はコネクタに関する。
【背景技術】
【０００２】
自動車において配線を行う場合、個別の経路に沿って配索した複数のワイヤーハーネスの端末部を一カ所に纏め、その纏めた端末部を電源側の電線の端末部に接続する手段として、分割コネクタが用いられる。この分割コネクタは、前後両面に開口する複数室の収容空間が形成された枠状のケーシングを備えており、この収容空間へ、各ワイヤーハーネスの端末のサブコネクタが後方から挿入される。なお、分割コネクタとしては、下記特許文献１に開示されているものがある。
【特許文献１】特開平１０−２４１８０１号
【発明の開示】
【発明が解決しようとする課題】
【０００３】
上記した各サブコネクタはケーシングに対して抜け止めされた状態で組み込まれる必要から、各収容空間内にいわゆるランス（弾性係止片）が撓み可能に配され、各サブコネクタと弾性的に係止するようになっていることが多い。したがって、ケーシング内にはこのランスの弾性変形を許容するために、所定高さをもった撓み空間を確保しなければならない。
【０００４】
しかし、このようなランスは片持ち状に形成され、また特に先端には解除用の操作部が前方へ突出して形成されているため、ランスがその支点を中心として揺動したときには支点部から最も遠い位置にある解除用操作部の下端部を基準として撓み空間の高さが決まることになる。したがって、従来では撓み空間に充分な高さを確保しなければならないことが制約となって、ケーシングの低背化が容易でなかった。
【０００５】
本発明は上記のような事情に基づいて完成されたものであって、コネクタの低背化を達成することを目的とする。
【課題を解決するための手段】
【０００６】
請求項１の発明は、筒状の収容空間が複数室備えられたケーシングと、各収容空間へ嵌め入れて収容される複数のサブコネクタとからなるコネクタであって、前記各サブコネクタのハウジングの外面で幅方向中央部にはロック突部が突出形成される一方、前記ケーシングにおいて前記収容空間を仕切る壁面の外面には前記サブコネクタの嵌め入れ方向とほぼ直交する方向に二条のスリットを切り込んでこれらの間に両持ち梁状の弾性受け部が架設され、前記ケーシングの内外方向に撓み可能とされ、前記サブコネクタが前記収容空間へ嵌め入れられて前記ロック突部が前記弾性受け部を通過する途上では、前記弾性受け部が前記収容空間から遠ざかる方向へ撓み変形し、前記サブコネクタが前記収容空間へ正規深さまで嵌め入れられると、前記ロック突部が前記弾性受け部を通過して同弾性受け部が弾性復帰することにより前記ロック突部と前記弾性受け部とが弾性的に係止して前記サブコネクタの抜け止めがなされるようになっており、かつ前記ケーシングの外面であって、前記弾性受け部を前記サブコネクタの嵌合方向から挟む位置には保護突部が立設されていることを特徴とするものである。
【０００９】
請求項２の発明は、請求項１に記載のものにおいて、前記ケーシングの外面には前記各収容空間へ連通するリテーナ装着孔が開口して形成されるとともに、前記ケーシングには後嵌め検知リテーナが装着され、かつこの後嵌め検知リテーナは前記ケーシングに対し、その一部が前記リテーナ装着孔を通して前記各収容空間内へ突入されて前記サブコネクタの嵌め入れ時には同サブコネクタとの干渉によって前記収容空間への嵌め入れを規制する押し込み位置と、収容空間から退避することで前記サブコネクタの収容空間内への嵌め入れを許容する退避位置との間で移動可能な状態で組み付けられ、かつ前記後嵌め検知リテーナは前記ケーシングが相手側コネクタのフード部内に嵌め入れられたときに、フード部の内面に当接して前記押し込み位置に保持されることを特徴とするものである。
【発明の効果】
【００１０】
＜請求項１の発明＞
請求項１の発明によれば、サブコネクタを筒状の収容空間へ嵌合すると、サブコネクタのハウジングの外面に設けられたロック突部が、収容空間の壁面に設けられた弾性受け部を撓み変形させる。そして、サブコネクタが収容空間に対して正規深さまで嵌め入れられると、弾性受け部は復帰してロック突部と弾性的に係止するため、サブコネクタは収容空間に対して抜け止め状態で収容される。
【００１１】
ところで、弾性受け部は両持ち梁状に形成されるため、ロック突部と係止する部位は直線的に変位する。したがって、従来のように弾性受け部がサブコネクタの嵌合方向へ延びる片持ち梁状に形成されたものでは、また特に弾性受け部の先端にロック解除用の治具操作部がその延び方向に向けて突出しているものでは、弾性撓みしたときに治具操作部の先端の描く揺動半径が大きくなるため、その分撓み空間の高さを余分に確保しなければならない。しかし、請求項１の発明では弾性受け部は直線的に変位するため、確保しなければならない撓み空間の高さは低くてすむため、ケーシングの低背化、ひいてはコネクタ全体の低背化を図ることができる。
【００１３】
また、保護突部によって弾性受け部が異物と当接する事態から保護することができる。
【００１４】
＜請求項２の発明＞  
請求項２の発明によれば、ケーシングが相手側コネクタのフード部内に嵌合される前の状態にあるときには、後嵌め検知リテーナを退避位置に位置させるようにすれば、各収容空間へ対応するサブコネクタを自在に嵌め入れることが可能となる。このため、ケーシング内に全てのサブコネクタを組み込んだ合体状態で相手側コネクタとの嵌合を行うことができる。
【００１５】
しかし、例えば特定のサブコネクタにつき、ケーシングと相手側コネクタとの嵌合完了後にケーシングへ嵌め入れようとすることがある。その場合には、後嵌め検知リテーナは相手側コネクタのフード部の内面に当接して押し込み位置に保持されている。つまり、後嵌め検知リテーナの一部は収容空間へ入り込んだ状態にあるため、この入り込んだ部分において後嵌めに係るサブコネクタと干渉し、当該サブコネクタの嵌め入れを禁止する。したがって、ケーシング側の全てのサブコネクタを相手側コネクタと嵌合させるためには、嵌合前に合体させておくことが条件とされ、ケーシング内の全てのコネクタ部に対する嵌合保証を一時期において一括してなしうる。
【発明を実施するための最良の形態】
【００１６】
＜実施形態１＞
本発明の実施形態１を図１ないし図２８によって説明する。まず、雄コネクタ１から説明する。雄コネクタ１はプリント基板上に装着される形式のものであり、雄コネクタハウジング２は合成樹脂製であり、前方へ開口する箱形形状に形成されている。そして、その後面の両端部には固定用の取り付け部３が張り出しており、プリント基板に対しねじ止めによって雄コネクタ１全体の固定がなされる。また、雄コネクタハウジング２には複数本の雄端子金具４が装着されていて、それぞれの一端側は雄コネクタハウジング２の後面から突出した後、ほぼ下向きかつ直角に折り曲げられて図示しないプリント基板上の回路に半田付けされる。また、それぞれの他端側は雄コネクタハウジング２内に突出し、後述する雌コネクタ９側の対応する雌端子金具５と接続可能である。さらに、雄コネクタハウジング２内の下面において幅方向中央部には周辺より一段高く形成された台部６が後方へ向けて所定幅をもって突出形成されている。さらにまた、この台部６とは所定の間隔を保有しつつ幅方向から挟む位置には一対のロアガイドリブ７が突出形成され、雄コネクタハウジング２の奥壁に至るまで延出されている。一方、雄コネクタハウジング２の天井面であって、上記した台部６に対応した位置には、奥方へ向けて一対のアッパガイドリブ８が下向きに突出形成されている。また、両アッパガイドリブ８の間であって雄コネクタハウジング２の開口縁部には雌雄のコネクタ９の嵌合状態をロックするためのロック受け縁１０が形成されている。
【００１７】
次に、雌コネクタ９について説明すると、雌コネクタ９はそれぞれ合成樹脂材にて形成されたケーシング１１と、このケーシング１１内に組み込まれる図示二個のサブコネクタ１２と、ケーシング１１に直接組み込まれ、あるいはサブコネクタ１２に収容された後にケーシング１１内に組み込まれる複数の雌端子金具５とから構成されている。
【００１８】
雌端子金具５は図８に示すように、導電性金属板を折り曲げて形成したものであり、後部側には電線被覆に圧着されるインシュレーションバレル１３と電線芯線に圧着されるワイヤバレル１４とが備えられている。また、前部側には雄端子金具４と接続可能な端子接続部１５が形成されている。端子接続部１５は角筒状に形成され、雄端子金具４が内側へ差し込み可能に形成されている。また、その上面には端子収容部２１あるいはサブコネクタ１２のキャビティ内に設けられたランスと係止可能な掛け止め突起１７が略三角錐状をなして突出形成されている。この実施形態では、端子接続部１５の上面は二枚の板を折り重ねてあるが、掛け止め突起１７の後方箇所では重ねた側の板が所定範囲にわたって切り取られている。こうすることで、掛け止め突起１７に対しランスがより深く係止できるようにし、掛かり代をかせぐことができるようにしてある。さらに、端子接続部１５の後面はあご部となって後述するリテーナ１８，１９と係止可能である。
【００１９】
なお、２０はスタビライザであり、雌端子金具５をキャビティへ挿入するときに正しい向きで挿入されないと、スタビライザ２０に対する逃がし溝（図示省略）へ通すことができない。このことをもって、雌端子金具５の逆挿入を防止する役割を果たす。
【００２０】
ケーシング１１は、全体として、上記した雄コネクタハウジング２に対して嵌合可能に形成され、その幅方向中央部は端子収容部２１となっている。この端子収容部２１は前後方向に沿って複数のキャビティ２２が貫通して形成されていて、それぞれに雌端子金具５を後方から挿入可能である。各キャビティ２２内には撓み可能なランスが形成されていて、各雌端子金具５と弾性的に係止して抜け止めがされるようになっている。
【００２１】
端子収容部２１の上面の幅方向中央部にはケーシング１１の全長に亘るロックアーム２３が前後方向に沿って形成されている。このロックアーム２３は前端側を支点とする片持ち状に形成され、上下方向への撓みが許容されている。また、ロックアーム２３の上面後端部寄りには係止突起２４が突出形成され、ケーシング１１が雄コネクタハウジング２内に正規に嵌合したときにロック受け縁１０と弾性的に係止可能である。ロックアーム２３の後端部はロック解除操作のための操作部２５であり、一段高く形成されている。さらに、この実施形態においてはロックアーム２３が不用意に押圧されないよう、ロックアーム２３の上方には保護リブ２６が配されている。この保護リブ２６はケーシング１１の上面後端縁において全幅に亘って形成されるとともに、端子収容部２１の両側に配された一対のサブコネクタ収容部２７間を横架しつつロックアーム２３の上方、より詳しくは操作部２５の前方を横切るようにしてある。
【００２２】
また、ロックアーム２３を幅方向から挟んだ両側には雄コネクタハウジング２の両アッパガイドリブ８を嵌め入れる一対の嵌合凹所２８がロックアーム２３に沿いつつ全長にわたって形成されている。一方、端子収容部２１の下面中央部であって雄コネクタハウジング２の台部６と対応する位置には、台部収容凹所２１Ａが凹み形成されている。また、この台部収容凹所２１を幅方向から挟んだ位置には一対の案内溝２９が形成され、雄コネクタハウジング２側のロアガイドリブ７を受け入れることができる。
【００２３】
さらに、端子収容部２１の下面の後部側は台部収容凹所２１と面一をなして広がっており、かつ台部収容凹所２１の後方にはこれよりもやや広幅のリテーナ挿入孔３０が開口している。したがって、雌雄のコネクタ１，９の嵌合の際には、このリテーナ挿入孔３０は台部６の通過路の途中に位置することになる。リテーナ挿入孔３０は端子収容部２１における全てのキャビティ２２に連通し、ここには端子収容部２１内に収容された雌端子金具５とそれぞれ係止可能なセンタリテーナ１８が装着されるのであるが、仮にセンタリテーナ１８が半挿入状態（このような状態は、例えば、雌端子金具５が半挿入でセンタリテーナ１８と雌端子金具５が干渉することによって生じたり、単にセンタリテーナ１８の押し込み不足に起因して生じる。）となっていると、雌雄コネクタ１，９の嵌合の際に台部６とセンタリテーナ１８との干渉によって嵌合が規制され、もってセンタリテーナ１８の半挿入状態が検知される。
【００２４】
センタリテーナ１８は図９に示すように基板３１を有し、図示下面側は押し込み操作面３２である。また、上面側にはリテーナ挿入孔３０を通して端子収容部２１内に嵌め込み可能であり、各キャビティ毎２２に対応して係止段部３３が形成されている。また、基板３１の幅方向両側部には共に二股状をなして窄み方向への撓みが許容された一対の係止脚部３４が起立して形成され、センタリテーナ１８をリテーナ挿入孔３０へ嵌め入れたときに前記した仮係止位置と本係止位置のそれぞれにおいてケーシング１１側と弾性的に係止する。仮係止位置では端子収容部２１の各キャビティ２２に対し雌端子金具５が挿抜自在であるが、本係止位置では、各係止段部３３が雌端子金具５のあご部と係止し、それらを抜け止め状態に保持する。
【００２５】
なお、３５はセンタリテーナ１８を抜き取るための解除用切り欠きであり、先の尖った解除治具をここへ引っ掛けてこじり上げることにより、ケーシング１１側に対するセンタリテーナ１８の係止を強制的に解除することができる。
【００２６】
次に、端子収容部２１の幅方向両側に一体に配された両サブコネクタ収容部２７について説明するが、これらは内部空間の大きさのみ相違するだけで、基本的構造は同一である。サブコネクタ収容部２７は前後方向へ貫通する角筒状に形成されており、内部は対応するサブコネクタ１２を収容するための収容空間３６が保有されている。
【００２７】
両収容空間３６に対し後方側から収容される両サブコネクタ１２は極数のみが異なるだけで、基本的構造は同一である。図１０〜図１４では、図１における左側のサブコネクタ収容部２７に収容される１０極タイプのサブコネクタ１２を示す（図１における右側に収容されるものは８極タイプ）。このサブコネクタ１２は計１０室のキャビティ３７が設けられ、それぞれは上下二段で各段につき５個ずつが配され、いずれもが前後方向に貫通して形成されている。各キャビティ３７内において前部寄りの底面にはランス１６が配されている。このランス１６は雌端子金具５の挿入方向である前後方向に沿って延設され、その前後端がキャビティ３７の底面に接続されている。これにより、ランス１６は両持ち梁状をなし、上下方向への良好な撓み変形を行って雌端子金具５の掛け止め突起１７に弾性的に係止することができる。また、サブコネクタ１２には雌端子金具５をランス１６と共に二重係止するサイドリテーナ１９を組み込むためのリテーナ収容孔３８が設けられている。このリテーナ収容孔３８はサブコネクタ１２における前後方向のほぼ中間位置において、下面及び幅方向両側面の３方向へ開口するようにして設けられ、したがって各キャビティ３７はリテーナ収容孔３８によって前後に分断されることになる。また、サブコネクタ１２の幅方向両側面であってリテーナ収容孔３８の側方開口周りは、その周辺よりも一段低くして嵌め合い凹所３９となっており、サイドリテーナ１９が装着されると、サイドリテーナ１９とサブコネクタ１２の側面とはほぼ面一をなすようにしてある。また、嵌め合い凹所３９において、リテーナ収容孔３８の後方には仮係止縁４０と本係止縁４１が高さ方向に並んで、かつそれぞれは前後方向に所定幅をもって突出形成されている。
【００２８】
サイドリテーナ１９は本体部４２とその両側に配された一対の側板４３とから構成されている。本体部４２にはサブコネクタ１２内に収容された雌端子金具５のあご部に係止する係止段部４４が複数箇所配されている。一方、両側板４３の内面であって上端寄りには引っ掛け凹部４５が略方形状に凹み形成されている。この引っ掛け凹部４５の上縁に上記した仮係止縁４０あるいは本係止縁４１を選択して係止させることで、サイドリテーナ１９を仮係止位置と本係止位置との２位置で保持することができる。仮係止位置は、各係止段部４４がサブコネクタ１２の各キャビティ３７の外側に退避した位置にあって、サブコネクタ１２の各キャビティ３７に対し雌端子金具５が挿抜自在とするサイドリテーナ１９の位置を言い、本係止位置は引っ掛け凹部４５の上縁が仮係止縁４０との係止を解いて、本係止縁４１を乗り越えてここに係止したときのサイドリテーナ１９の位置をいい、このときには各係止段部４４がキャビティ３７内に進入して雌端子金具５のあご部に係止して抜け止めを行う。サイドリテーナ１９が仮係止位置あるいは本係止位置のいずれの位置にあるときにも、両側板４３は引っ掛け凹部４５の外縁となる段差によって前後から挟まれるため、サイドリテーナ１９の姿勢を正規状態に保持し傾斜姿勢とならないようにしている。但し、サイドリテーナ１９が装着されたときにおいても、引っ掛け凹部４５は仮係止縁・本係止縁の後方部分が露出するようになっており、これによってサイドリテーナ１９の側板４３の側縁を露出させ、ここへ先の尖った解除治具を作用させてサイドリテーナ１９に対する本係止の状態を強制的に解除することができる。また、引っ掛け凹部４５を構成する段差のうち、サイドリテーナ１９の側板４３における前後方向の両側縁と対向する部分はあり溝状のテーパが設定され、側板４３をあり嵌合させてこれらが外方へ拡開変形しないようにしている。
【００２９】
なお、サイドリテーナ１９が本係止位置に至らないままにサブコネクタ収容部２７の収容空間３６へ収容させようとする場合に、本実施形態ではこれを禁止する構造が収容空間３６内に設定されている。すなわち、収容空間３６内の下面には一対の検知突条４６が前後方向に沿って突出形成されており、サイドリテーナ１９が本係止位置に至っておらずサブコネクタ１２の外面から突出した状態にあるときには、同サイドリテーナ１９は検知突条４６における入り口側の端面と突き当たって、これ以上の進入が規制される。また、図６に示すように、検知突条４６の入り口側の端面は収容空間３６の後部側の開口面よりやや内側に引っ込んだ位置に設定されている。同端面を開口縁と揃えて形成しない理由は、サブコネクタ１２が傾斜姿勢で収容空間３６へ進入すると、万一、サイドリテーナ１９が本係止位置に至っていなくとも、サイドリテーナ１９が検知突条４６に乗り上げてそのまま強引に押し込まれてしまう事態が許容されてしまう虞があるのに対し、本実施形態のように、やや内側へ控えた位置に検知突条４６の始端を設定しておけば、サイドリテーナ１９の下面が検知突条４６の始端の手前側の壁面に支えられた状態で検知突条４６とサイドリテーナ１９との突き当てを行うことができるため、サブコネクタ１２の進入姿勢を正規姿勢に強制した状態とすることができ、もって検知能力を高めることができるからである。
【００３０】
また、収容空間３６において両検知突条４６の外側にはサブコネクタ１２の検知突部４７（次述）との干渉を回避するための凹溝４８が一対前後方向に沿って配されている。
【００３１】
サブコネクタ１２の下面の幅方向両側であって、リテーナ収容孔３８の前方には一対の検知突部４７が起立して形成されている。この検知突部４７は雌雄コネクタ１，９を嵌合させた後に、サブコネクタ１２を後入れしようとした場合に、ケーシング１１に装着されている後述の後嵌め検知リテーナ４９と干渉して対応する収容空間３６への嵌合を不能にする役割を果たす。また、サブコネクタ１２の下面前端であって幅方向の中央部にはロック突部５０が一体に突出形成されている。このロック突部５０はケーシング１１側の弾性受け部５１と弾性係止してサブコネクタ１２をケーシング１１から抜けないようにする。また、ロック突部５０の上面前縁には下向き勾配の押し上げ案内面５２が形成され、サブコネクタ１２の収容動作に伴って弾性受け部５１を押し上げ方向へ変形させる案内の役割を果たす。さらに、ロック突部５０の上面は幅方向中央部が最も盛り上がるような円弧形状に形成されている。これは、弾性受け部５１を通過して係止するときに弾性受け部５１が円弧状に変形することに対応するものであり、すなわち通過時に弾性受け部５１と干渉しないようにするための工夫である。
【００３２】
一方、サブコネクタ収容部２７の下面において前後方向の略中央部でかつ前記したリテーナ挿入孔３０と並列した位置にはリテーナ装着孔５３が開口し、内部の収容空間３６へと通じている。また、このリテーナ装着孔５３はサブコネクタ１２が正規深さまで収容空間３６内に収容されたときには、サイドリテーナ１９の本体部４２全体を露出させる位置に開口しており、かつサブコネクタ１２のリテーナ収容孔３８よりも前後方向に広幅に設定されている。
【００３３】
そして、リテーナ装着孔５３には後述する後嵌め検知リテーナ４９が嵌め入れられ、サブコネクタ１２が雄コネクタ１に対して後嵌めとなるのを規制する役割を果たす。また、サブコネクタ収容部２７の幅方向の外側面には後嵌め検知リテーナ４９の側板４９Ａと係止して同側板４９Ａの外れ止めを行う係止縁５４が突出している。さらに、係止縁５４が設けられた面は周辺の面から一段下げられた装着凹所５５となっており、後嵌め検知リテーナ４９が装着されると、後嵌め検知リテーナ４９の側板４９Ａと周辺の面とは面一をなすようにしてある。このときに、後嵌め検知リテーナ４９の両側板４９Ａは装着凹所５５を構成する段差にて前後から挟まれる状態にあり、後嵌め検知リテーナ４９の装着姿勢が傾かないようにしている。但し、後嵌め検知リテーナ４９が装着されたときにおいても、装着凹所５５は図２１，２２に示すように後部側の一部が露出しており、当該露出部分が設けられることにより後嵌め検知リテーナ４９の側板４９Ａ側縁を露出させるようにし、もってここから側板４９Ａの側縁を、先の尖った解除治具にて操作し係止解除可能としている。
【００３４】
なお、装着凹所５５を構成する段差のうち、後嵌め検知リテーナ４９の側板４９Ａにおける前後方向の両側縁と対向する部分はあり溝状のテーパが設定され、側板４９Ａの外方への拡開変形を規制している。
【００３５】
また、両サブコネクタ収容部２７内における下面前部にはサブコネクタ１２に係止してサブコネクタ１２の抜け止めを行うための弾性受け部５１が配されている。弾性受け部５１は対応するサブコネクタ収容部２７の幅方向（サブコネクタ１２の嵌合方向と直交する方向）に沿って配され、前後の両側に二条のスリットを切り込むことで、これらの間に切り出された形態で形成される。したがって、弾性受け部５１は幅方向両端部が接続された両持ち梁状に形成され、上下方向への撓みが許容される。また、弾性受け部５１は自然状態にあるときに、収容空間３６内に内面側の一部が進入するようにしてあり、サブコネクタ１２が収容空間３６へ嵌め入れられるときにはロック突部５０と当接する位置関係にある。この実施形態では、弾性受け部５１の内面側であってロック突部５０と対向する側の縁部には所定幅範囲に亘って傾斜面（押し上げ受承面５６）となっており、ロック突部５０側の押し上げ案内面５２と摺接する過程で弾性受け部５１を押し上げて収容空間３６から退避させるように変形させうる。そして、ロック突部５０が弾性受け部５１を通過すると、復帰してロック突部５０と弾性的に係止する。
【００３６】
また、両サブコネクタ収容部２７における収容空間３６の前方側の開口面の下端縁には切り欠き凹部５７が幅方向中央部に配されている。この切り欠き凹部５７は弾性受け部５１の前端面のうちロック突部５０と係止し合っている部分をその周辺を含めて前方へ露出させており、ここから先の尖った解除用の治具を操作して弾性受け部５１を係止解除方向へ撓み変形させ、サブコネクタ１２の抜き取りを可能にしている。
【００３７】
さらに、両サブコネクタ収容部２７の下面には弾性受け部５１の全体を枠状にして取り囲む保護突部５８が突出形成されている。弾性受け部５１は保護突部５８の上面から高さ方向内側へ引っ込んで位置しており、これによって弾性受け部５１が異物等に当接して外力を受けにくくしている。
【００３８】
後嵌め検知リテーナ４９は、両サブコネクタ１２のサイドリテーナ１９が本係止位置に至っているか否かの検知に加え、雌雄コネクタ１，９の嵌合後においてサイドリテーナ１９をサブコネクタ収容部２７へ組み込もうとした場合の検知をし、両サブコネクタ１２が共に揃ってケーシング１１内に収容されていることを保証する役割を果たす。図２５に示すように、後嵌め検知リテーナ４９は基板部４９Ｂと、その両端にほぼ直角に折り曲げ形成された一対の側板４９Ａとからなっている。
【００３９】
基板部４９Ｂは、後嵌め検知リテーナ４９の装着時においてセンタリテーナの上面全体が露出されるよう、これを回避するべくクランク形状をなして形成されている。これは後嵌め検知リテーナ４９を解除操作することなく、単独でセンタリテーナ１８の係止を解除して端子収容部２１内の雌端子金具５を抜き取り可能にするためである。また、基板部４９Ｂにおける両側部分はそれぞれサブコネクタ収容部２７に対応するものであり、その内面側には各サブコネクタ１２の両検知突部４７に対応してこれらとの干渉を回避するための逃がし凹部５９がそれぞれ一対ずつ設けられている。
【００４０】
両側板４９Ａは、後嵌め検知リテーナ４９を装着したときにケーシング１１の装着凹所５５にそれぞれ適合して嵌り合うようにして形成され、その内面には係合凹部６０が凹み形成されている。両係合凹部６０は図２２における上縁にてケーシング１１側の係止縁５４と係止することで、後嵌め検知リテーナ４９全体の外れ止めがなされるようにしてあるが、このときには、基板部４９Ｂはケーシング１１の下面との間に若干の間隔が保有されると共に、図１８に示すように、側板４９Ａとケーシング１１側の装着凹所５５の上縁との間にも同様な隙間が保有されるような設定となっている。また、係止縁５４は係合凹部６０内を上下方向へ変位可能とされている結果、後嵌め検知リテーナ４９は側板４９Ａが装着凹所５５の上縁に当接する位置まで変位可能である（図２３参照）。以下の説明では、後嵌め検知リテーナ４９の図２２における位置を退避位置（係止縁５４が装着凹所５５の上縁に当接する位置）と言い、図２３における位置を押し込み位置と言う。
【００４１】
押し込み位置にあるときには逃がし凹部５９がサブコネクタ１２を嵌合する際の検知突部４７の進入経路上に位置しているものの、上記のように後嵌め検知リテーナ４９はケーシング１１に対し上下動可能に組み付けられるため、押し込み位置にあるときにサブコネクタ１２の嵌合操作を行っても後嵌めリテーナ４９を退避位置へ押しやって、サブコネクタ１２の嵌合が許容されるようになっている。また、押し込み位置にあるときには、後嵌め検知リテーナ４９の上面はケーシング１１の上面とほぼ面一となるように設定されているとともに、その下面は本係止位置にあるサイドリテーナの上面と当接可能である。
【００４２】
また、退避位置においては後嵌め検知リテーナ４９の基板部４９Ｂの下面の高さは、ケーシング１１の下面前部から突出するように設定されている。したがって、後嵌め検知リテーナ４９が退避位置にあるときのままに雌雄コネクタ１，９の嵌合を行うと、後嵌め検知リテーナ４９は雄コネクタハウジング２の開口縁と干渉することになるが、後嵌め検知リテーナ４９の前縁には所定の勾配をもって傾斜した案内面６１が形成されているから、雌雄コネクタ１，９の嵌合動作に伴って案内面６１が雄コネクタハウジング２の開口縁と摺接すると、後嵌め検知リテーナ４９は自動的に押し込み位置へ変位させられる。したがって、後嵌め検知リテーナ４９は雌雄コネクタが嵌合した後は、雄コネクタハウジング２の内面によって押さえ付けられて押し込み位置に保持された状態にあるため、この状態でサブコネクタ１２をケーシング１のサブコネクタ収容部２７へ収容させようとしても、サブコネクタ１２の検知突部４７が後嵌め検知リテーナ４９の後端面に突き当たり、後嵌め操作を禁止することができる。
【００４３】
次に、上記のように構成された第１実施形態の作用効果を説明する。まず、ケーシング１１における端子収容部２１の各キャビティ２２に対し雌端子金具５を収容させておく。そのときには、センタリテーナ１８は予めリテーナ挿入孔３０へ嵌め込まれて仮係止位置に保持されている。雌端子金具５の挿入が完了したら、センタリテーナ１８をさらに深く挿入して本係止位置へ移行させる。これによりセンタリテーナ１８の各係止段部３３が対応する雌端子金具５のあご部に係止し、それぞれが抜け止め状態となる。
【００４４】
その一方で、両サブコネクタ１２の各キャビティ３７に対しても同様に雌端子金具５の挿入がなされる。この挿入に先立ってサブコネクタ１２にはサイドリテーナ１９がそれぞれ仮係止位置に保持されている。各キャビティ３７内へ収容された雌端子金具５はランス１６が掛け止め突起１７に引っ掛かって一次係止の状態となる。その後、サイドリテーナ１９を押し込んで本係止位置に至らしめれば、各係止段部３３が対応する雌端子金具５のあご部にそれぞれ引っ掛かり、二次係止状態となる。
【００４５】
次に、ケーシング１１のサブコネクタ収容部２７へ対応するサブコネクタ１２の嵌め入れ操作がなされるが、このときにはケーシング１１には既に後嵌め検知リテーナ４９が装着されている。後嵌め検知リテーナ４９は前述したように、雌雄コネクタ１，９の嵌合前においてはケーシング１１に対し上下動可能な状態で装着されているため、例えばケーシング１１を後嵌め検知リテーナ４９が下面側とした向きにしてサブコネクタ１２を収容させれば、サブコネクタ１２は両検知突部４７を凹溝４８に適合させつつ収容空間３６内へ押し込まれてゆく。そして、ロック突部５０が弾性受け部５１に当接した後、さらにサブコネクタ１２に対する押し込みがなされると、ロック突部５０の押し上げ案内面５２が弾性受け部５１の後端面に摺接して弾性受け部５１を押し上げて円弧状に湾曲変形させる。このとき、ロック突部５０の上面形状も円弧状に形成されているため、ロック突部５０は円滑に弾性受け部５１を通過してゆくことができる。そして、通過後には弾性受け部５１が復帰変形するため、ロック突部５０が弾性受け部５１と係止し、これによってサブコネクタ１２がサブコネクタ収容部２７内に抜け止め状態で収容される。
【００４６】
ところで、弾性受け部５１は幅方向が接続された両持ち梁状に形成されているため、ロック突部５０が通過する際にはその中央部が弾性受け部５１の長手方向と直交する方向へ真っ直ぐ変位する。したがって、収容空間３６において弾性受け部５１の撓みを許容するに必要な高さは、ロック突部５０の突出高さ分さえ確保すればよい。これに対し、従来の片持ち梁状のランス構造によってロック突部５０を係止する構造とした場合には、通常このようなランスでは解除用の張り出し部をランスの長さ方向に延長させて形成しているため、かかるランスが撓む際にはこの張り出し部の撓み軌跡が最もストロークが大きく、その分収容空間３６に確保されねばならない高さは、ロック突部５０の突出寸法を大きく上回ることとなる。したがって、従来のランス構造のものと比較すれば、本実施形態のものでは収容空間３６の高さを低く抑えることができ、ひいては雌コネクタ９全体の低背化につながる。
【００４７】
かくして、雌コネクタ９の組み付けが完了すれば、雄コネクタ１への嵌合がなされる。その場合には、雄コネクタハウジング２側のアッパ・ロアの両ガイドリブ７，８がケーシング１１側の嵌合凹所２８あるいは案内溝２９にそれぞれ嵌め込まれて嵌合動作は円滑に進行する。そして、雌雄のコネクタ１，９が正規嵌合状態になれば、ロックアーム２３の係止突起２４が雄コネクタハウジング２のロック受け縁１０を通過してその内面側に係止するため、これによって雌雄コネクタ１，９は嵌合状態でロックされ、同時に雌雄の端子金具４，５同士が正規の接続状態となる。
【００４８】
メンテナンス等、雌端子金具５に抜き取りの必要が生じたときには、サブコネクタ１２についてのものであれば、収容空間３６の前端開口縁に形成された切り欠き凹部５７を通して先の尖った治具を突っ込んで弾性受け部５１を係止解除方向へ撓み変形させれば、その状態でサブコネクタ１２を収容空間３６から抜き取ることができる。そして、抜き取り後において、サイドリテーナ１９を同様に治具にて持ち上げ操作し、本係止位置から仮係止位置へ移動させる。さらに、キャビティ３７前方から治具を突っ込み、ランス１６を撓み操作すれば雌端子金具５を抜き取ることができる。
【００４９】
ケーシング１１の端子収容部２１に収容された雌端子金具５を抜き取る場合には、直接、センタリテーナ１８を治具にて操作すれば、上記と同じ要領で雌端子金具５を抜き取ることができる。すなわち、この実施形態では後嵌め検知リテーナ４９をクランク形状に形成し、センタリテーナ１８を回避した装着形態としたため、後嵌め検知リテーナ４９を取り外したりすることなく装着状態のまま直ちに端子収容部２１内の雌端子金具５の抜き取り操作を行うことができる。
【００５０】
ところで、本実施形態ではセンタリテーナ１８及び両サイドリテーナ１９が、雌端子金具５が正規深さまで挿入されていない場合等に起因して、半挿入状態であった場合に、このことを検出することができるようになっている。
【００５１】
すなわち、センタリテーナ１８が半挿入状態であった場合には、同センタリテーナ１８がケーシング１１から浮き上がった状態にあるため、雌雄コネクタ１，９の嵌合の際に雄コネクタハウジング２の台部６との干渉が生じ、これをもってセンタリテーナ１８の半挿入が検知される。また、サブコネクタ１２に対してサイドリテーナ１９の半挿入があった場合には、ケーシング１１の収容空間３６へ対応するサブコネクタ１２を挿入しようとしても、両検知突条４６がサイドリテーナ１９と干渉してしまい、これ以上の挿入が禁止される。この場合において、既述したように、両検知突条４６は収容空間３６の開口縁からやや奥方へ引っ込んだ位置を始端として形成されている。したがって、サブコネクタ１２を収容空間３６へ収容させようとする際に、たとえ傾斜姿勢となっていたとしても、確実にサイドリテーナ１９の前端縁を検知突条４６の始端と突き当てることができる。このため、確実にサブコネクタがこれ以上に嵌合されるのを禁止することができ、もってサイドリテーナ１９の半挿入を検知することができる。
【００５２】
また、第１実施形態のものでは、両サブコネクタ１２は雄コネクタ１への嵌合の際に一括してケーシング１１内に組み込まれていないと、後からは単独でケーシング１１内へ組み込むことができないようになっている。すなわち、例えば片側のサブコネクタ１２のみがケーシング１１内に組み込まれ、その状態で雌雄コネクタ１，９の嵌め合いを行い、その後にもう片側のサブコネクタ１２を後嵌めしようとした場合には、次のようにして禁止される。ケーシング１１が雄コネクタ１へ嵌合しているときには、後嵌め検知リテーナ４９が雄コネクタハウジング２の内面によって押され、退避位置への移動を禁止された状態で押し込み位置に保持されている。したがって、この状態で後嵌めのサブコネクタを対応する収容空間３６へ収容する際に、両検知突部４７が後嵌め検知リテーナ４９の後端面に当接しても、後嵌め検知リテーナ４９は退避位置に変位することはなく、したがって押し込み位置において検知突部４７と突き当たり合うことで、後嵌めのサブコネクタ１２の進入を禁止する。したがって、第１実施形態によれば雌コネクタ９側に設定されている３つのコネクタ部（端子収容部２１と二つのサブコネクタ１２）を個別に嵌合保証するのでなく、これらを一括して嵌合保証するものであるため、個別保証する場合に比較して信頼度を高めることができる。
【００５３】
以上のように、第１実施形態によれば、上記の一括嵌合保証の効果と共に、サブコネクタ１２をケーシング１１に抜け止めする構造として、両持ち梁状の弾性受け部５１を設定したことによって従来の片持ちランスの構造と比較して低背化を図ることができる、という利点も得られている。また、一括嵌合保証を行うための後嵌め検知リテーナ４９はセンタリテーナ１８を回避したクランク状に形成されているため、端子収容部２１内の雌端子金具５の抜き取りの際には、後嵌め検知リテーナ４９を取り外すことなく、センタリテーナ１８の係止解除を行わせることができるため、メンテナンス作業性に優れたものとなる。
【００５４】
＜参考例＞  
上記した第１実施形態では、ケーシング１１に対し２個のサブコネクタ１２を一括して組み込み可能とすることで、後嵌めされるのを禁止する技術も開示した。以下に説明する参考例では、このサブコネクタ１２の後嵌めを禁止する他の技術を示す。
【００５５】
参考例の雄コネクタ６２もプリント基板に装着されるタイプのものであり、フード部６２Ａを有するコネクタハウジング６３には雄端子金具４が圧入あるいはインサート成形によって組み込まれている。フード部６２Ａの内部には、本体コネクタ６４及び両サブコネクタ６５に対する案内用のガイド溝６６が複数条凹み形成されている。この参考例では本体コネクタ６４に対しては幅方向に二条が、また両サブコネクタ６５に対しては幅方向両端部にそれぞれ一条設けられている。また、ガイド溝６６は共にフード部６２Ａ内の下面と上面とにそれぞれ対応して配され、かつフード部６２Ａの開口縁から奥壁に至るまで形成されている。さらに、フード部６２Ａ内においてガイド溝６６のうち中央寄りの二つのガイド溝６６の外側位置にはガイド溝６６に沿うようにして一対の補強壁６７が形成されている。
【００５６】
この補強壁６７は、フード部６２Ａの奥部に配された本体壁６７Ａとこの本体壁６７Ａの下端部から前方へ延びる延長壁６７Ｂとからなっている。本体壁６７Ａはフード部６２Ａの奥壁に連続しかつフード部６２Ａの底面から天井面に至る高さをもって形成されており、かつその前端縁は雄端子金具４の前端の位置とほぼ等しいか、やや前方へ突き出る位置となるように形成されている。このことにより、本体壁６７Ａはフード部６２Ａの湾曲変形に対する補強の役割に加え、雌雄コネクタ６２，６８の嵌合時に雄端子金具４がこじられて変形してしまう事態を回避することが可能となる。延長壁６７Ｂは本体壁６７Ａの下端部からフード部６２Ａの開口縁に至るまで延出され、後に詳述するが、本体コネクタ６４と両サブコネクタ６５とを合体させたときに両間のつなぎ部分に生じる隙間に入り込んで雌雄コネクタ６２，６８の嵌合ガイドをする。
【００５７】
図３２〜図３４は本体コネクタ６４のハウジング６９を示している。基本構造は前記した実施形態１とほぼ同様であるため、図面中に同一符号を付すことで説明は省略する。相異点は本体コネクタ６４のハウジング６９の両側面にサブコネクタ６５との連結のための接続構造が設けられていることである。
【００５８】
以下に、この接続構造について説明する。本体コネクタハウジング６９の上面の幅方向両端には案内突縁７０がほぼ全長に亘って形成されている。また、本体コネクタハウジング６９の両側面の後端部には案内突縁７０の上面とほぼ面一をなして庇片７１が外方へ水平に張り出しており、ロックアーム２３の保護リブ２６の外端位置と揃えてある。そして、庇片７１の下方であって本体コネクタハウジング６９の側面のほぼ中央高さにはロック爪７２が突出形成され、その下面には傾斜面７２Ａが形成されている
また、本体コネクタハウジング６９の両側面において上記庇片７１より一段下がった位置にはストッパ壁７３が配されている。このストッパ壁７３は前後方向に沿って水平に延び庇片７１とほぼ同一の突出幅をもって形成されている。ストッパ壁７３の下方には第１・第２の連結受け部７４，７５が設けられている。第１連結受け部７４はストッパ壁７３の前部側に配され、二つの突壁７４Ａによって水平断面で略Ｖ字状をなして形成されている（図３３参照）。両突壁７４Ａはストッパ壁７３と接続し、相互は末広がり状をなしつつ真っ直ぐ下方に延び本体コネクタハウジング６９の下端から僅か上方に至る高さ寸法をもって形成され、かつその外端面はストッパ壁７３の外端面と面一に揃えてある。
【００５９】
第２連結受け部７５はストッパ壁７３と庇片７１との境界寄りに配されている。この第２連結受け部７５はストッパ壁７３から真っ直ぐ下方に延び、第１連結受け部７４とほぼ同じ高さ範囲にわたり、かつ外方への突出量もほぼ同じとされている。また、第２連結受け部７５は本体コネクタハウジング６９の両側面に対する付け根部分は細幅であるが、外方に行くに連れて広幅となるようにしてある。具体的には、第２連結受け部７５の長さ方向の側面のうち第２連結受け部７５に近い側の突壁７４Ａと対向する側面は、同突壁７４Ａとは逆向き勾配をもった傾斜面となっているが、反対側の側面は本体コネクタハウジング６９の側面とほぼ直角の切り立った面となっている。
【００６０】
次に、サブコネクタ１２側の連結構造について説明する。両サブコネクタ１２は実施形態１と同様、極数を異にするが、基本的構造は同一であり、幅方向において対称の配置となっている。図３５〜図３７に示すサブコネクタ１２は図３２において本体コネクタハウジング６９の奥側の側面に装着されるものを示す。両サブコネクタ１２において本体コネクタハウジング６９と対向する側の側面には上記した連結受け部７４，７５に対する連結部７６と引っ掛け片７７とが形成されている。
【００６１】
引っ掛け片７７はサブコネクタにおける本体コネクタハウジング６９と対向する側の面の後端部に配されている。また、引っ掛け片７７はサブコネクタの下端から上方に向かって内方へ撓み可能に設けられ、その内側は外形が下向き略Ｕ字状をなすよう、開口され、この除肉された部分の上端に本体コネクタハウジング６９側のロック爪７２を係止させ、これによってサブコネクタと本体コネクタハウジング６９とを相対的な上下動を規制可能としている。さらに、サブコネクタの側面において引っ掛け片７７と対向する部分は除肉（除肉部７８）され、引っ掛け片７７の撓み空間を確保するようにしている。
【００６２】
なお、引っ掛け片７７及びロック爪７２はサブコネクタ１２あるいは本体コネクタハウジング６９の後端部に配されており、雌雄コネクタ６２，６８が嵌合されている状態でも外部へ露出される位置にあるため（図４３参照）、これらの係止状態が外部から視認可能であり、サブコネクタ６５が不完全な連結状態にある場合には外観によって容易に把握可能である。
【００６３】
また、連結部７６は引っ掛け片７７の前方に配されるとともに、前後の連結レール片７９，８０を備えている。これらレール片７９，８０の内面は第１連結受け部７４の両突壁７４Ａの外面に適合可能な形状、つまり両連結レール片７９，８０間の幅間隔が奥方へ行くに連れて広がるような形態としてある。したがって、本体コネクタハウジング６９とサブコネクタ６５とを連結させる時には、本体コネクタハウジング６９を上位に、サブコネクタ６５側を下位にしつつ前後の連結レール片７９，８０と第１連結受け部７４とを適合させて両者をスライドさせれば、連結７６部と第１連結受け部７４とはあり嵌合によって幅方向へ離間してしまう事態を規制することができる。さらに、前後の連結レール片７９，８０の間には、両連結レール片７９，８０と平行にかつほぼ同一高さ範囲に亘って変形規制片８１が突出形成されている。この変形規制片８１は連結部７６と第１連結受け部７４とがあり嵌合したときに、両突壁７４Ａ間に入り込むことで、両突壁７４Ａが内側へ窄み変形するのを規制し、もってサブコネクタ６５の外れ止め機能を強化することができる。
【００６４】
後側連結レール片８０において引っ掛け片７７と対向する側面は第２連結受け部７５の側面と適合するように形成されている。したがって、後側連結レール片８０は第１連結受け部７４と第２連結受け部７５との間でこれらに対してもあり嵌合することになる。かくして本体コネクタハウジング６９にサブコネクタ６５が連結された状態では、図３８に示すように、これらの間に庇片７１及びストッパ壁７３によって所定間隔の差し込み溝８２が雄コネクタ６２と嵌合する側を開放させて形成される。この差し込み溝８２は雌雄コネクタ６２，６８が嵌合するときには雄コネクタ６２側における補強壁６７の本体壁６７Ａが入り込むようになっている。
【００６５】
次に、上記のように構成された参考例の作用効果を具体的に説明すると、雌雄コネクタ６２，６８の嵌合にあたり、まず本体コネクタハウジング６９、両サブコネクタ６５の各キャビティに対し雌端子金具５を収容し、さらにはリテーナ（詳細には図示しないが、第１実施形態で示したセンターリテーナ１８と基本的な構造は同じである。）を装着して雌端子金具５をランスと共に二重係止状態にしておく。
【００６６】
次に、本体コネクタ６４の両側面にサブコネクタ６５をそれぞれ組み付ける。その場合には、本体コネクタ６４側を上位に、サブコネクタ６５側を相対的に下位に位置させ、サブコネクタ６５側の前後の連結レール片の上端間に本体コネクタハウジング６９側の第１連結受け部７４の下端を適合させ、かつ後側連結レール片８０を第１・第２の連結受け部７４，７５間に適合させた状態で、相互を接近させる方向へスライドさせる。すると、第１連結受け部７４は前後の連結レール片７９，８０によって外側からあり嵌合され、また後側連結レール片８０は第１・第２の連結受け部７４，７５の間にあり嵌合し、さらには引っ掛け片７７が内方へ撓み変形しつつロック爪７２の傾斜面７２Ａに乗り上げ、通過後には復帰してロック爪７２と係止がなされる。これにより、サブコネクタ６５は本体コネクタ６４から下方への抜けが規制されるとともに、上方へはストッパ壁７３あるいは庇片７１との当接によって規制がなされる。また、サブコネクタ６５が本体コネクタ６４から幅方向外方へ離間するのは、上記したあり嵌合によって規制される。このときには変形規制片８１が第１連結受け部７４の両突壁７４Ａ間に進入していることにより、両突壁７４Ａが内向きに窄み変形することがなくなり、あり嵌合状態を確実に維持することができる。
【００６７】
上記の要領で他方のサブコネクタ６５も本体コネクタ６４への装着を行えば、合体雌コネクタ６８が得られる。この合体状態で、雄コネクタ６２に対して嵌合を行えば、ロックアーム２３にて両コネクタ６２，６８は嵌合状態にロックされる。この嵌合に際して、雄コネクタ６２内の本体壁６７Ａが両差し込み溝８２内に導入されるため、こじりを生じることなく円滑な嵌合を行わせることができる。したがって、嵌合時に雄端子金具４を変形させてしまうこともない。加えて、この本体壁６７Ａは雄コネクタ６２のフード部６２Ａ中央が下方へ湾曲変形してしまうことも併せて回避する。
【００６８】
ところで、雌コネクタ６８においてサブコネクタ６５を合体させることなく本体コネクタ単体で雄コネクタ６２へ嵌合させてしまった後に、サブコネクタ６５を後嵌めするような作業をしようとする場合には、後嵌めに係るサブコネクタ６５の前側連結レール片７９が本体コネクタ６４のロック爪７２に干渉してしまい、これ以上の嵌合が規制される。
【００６９】
以上のように、参考例においても、サブコネクタ６５の後嵌めを確実に規制することができ、一括して嵌合保証がなされる。また、雄コネクタ６２側では雌雄コネクタ６２，６８の嵌合を案内するための補強壁６７を設け、とりわけ本体壁６７Ａによって雄コネクタの補強も併せて図ることができる。
【図面の簡単な説明】
【００７１】
【図１】雄コネクタの斜視図
【図２】同じく正面図
【図３】ケーシングの斜視図
【図４】同じく底面図
【図５】同じく背面図
【図６】サブコネクタ収容部における側断面図
【図７】図６のVII-VII線断面図
【図８】雌端子金具の斜視図
【図９】センタリテーナの斜視図
【図１０】サブコネクタの斜視図
【図１１】同じく正面図
【図１２】同じく側面図
【図１３】同じく底面図
【図１４】図１１におけるXIV-XIV線断面図
【図１５】サイドリテーナの斜視図
【図１６】ロック突部が弾性受け部を通過する途上を示す正断面図
【図１７】ロック突部が弾性受け部を通過した後の係止状態を示す正断面図
【図１８】サブコネクタが収容空間へ収容されるときの状態を示す側断面図
【図１９】サブコネクタが収容空間へ収容されるときの状態を示す側断面図
【図２０】サブコネクタの収容が完了したときの状態を示す側断面図
【図２１】雌コネクタの正面図
【図２２】後嵌め検知リテーナが退避位置にあるときの雌コネクタの側面図
【図２３】同じく押し込み位置にあるときの雌コネクタの側面図
【図２４】雌コネクタの底面図
【図２５】後嵌め検知リテーナの斜視図
【図２６】同じく正面図
【図２７】雌雄コネクタの嵌合状態を示す側断面図
【図２８】同じく正断面図
【図２９】参考例に係る雄コネクタの正面図
【図３０】同平断面図
【図３１】同側断面図
【図３２】本体コネクタハウジングの斜視図
【図３３】同底面図
【図３４】同側面図
【図３５】片側のサブコネクタを示す斜視図
【図３６】同側面図
【図３７】同底面図
【図３８】本体コネクタハウジングとサブコネクタとの合体状態を示す底面図
【図３９】同平面図
【図４０】連結構造を示す側断面図
【図４１】雌雄コネクタの嵌合状態を示す平面図
【図４２】同正断面図
【図４３】同側断面図
【符号の説明】
【００７２】
１…雄コネクタ
９…雌コネクタ
１１…ケーシング
１２…サブコネクタ
２７…サブコネクタ収容部
３６…収容空間
４９…後嵌め検知リテーナ
５０…ロック突部
５１…弾性受け部
【図１】
0004544065.tif 000002
【図２】
0004544065.tif 000003
【図３】
0004544065.tif 000004
【図４】
0004544065.tif 000005
【図５】
0004544065.tif 000006
【図６】
0004544065.tif 000007
【図７】
0004544065.tif 000008
【図８】
0004544065.tif 000009
【図９】
0004544065.tif 000010
【図１０】
0004544065.tif 000011
【図１１】
0004544065.tif 000012
【図１２】
0004544065.tif 000013
【図１３】
0004544065.tif 000014
【図１４】
0004544065.tif 000015
【図１５】
0004544065.tif 000016
【図１６】
0004544065.tif 000017
【図１７】
0004544065.tif 000018
【図１８】
0004544065.tif 000019
【図１９】
0004544065.tif 000020
【図２０】
0004544065.tif 000021
【図２１】
0004544065.tif 000022
【図２２】
0004544065.tif 000023
【図２３】
0004544065.tif 000024
【図２４】
0004544065.tif 000025
【図２５】
0004544065.tif 000026
【図２６】
0004544065.tif 000027
【図２７】
0004544065.tif 000028
【図２８】
0004544065.tif 000029
【図２９】
0004544065.tif 000030
【図３０】
0004544065.tif 000031
【図３１】
0004544065.tif 000032
【図３２】
0004544065.tif 000033
【図３３】
0004544065.tif 000034
【図３４】
0004544065.tif 000035
【図３５】
0004544065.tif 000036
【図３６】
0004544065.tif 000037
【図３７】
0004544065.tif 000038
【図３８】
0004544065.tif 000039
【図３９】
0004544065.tif 000040
【図４０】
0004544065.tif 000041
【図４１】
0004544065.tif 000042
【図４２】
0004544065.tif 000043
【図４３】
0004544065.tif 000044